【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
入力された音声に対して、音響モデルと音声認識の対象になる語彙情報をもつ認識対象語彙辞書をもとに音声認識を行う方法であって、利用者の移動情報又は利用者による設定情報に応じて、予め登録された音声認識対象語彙辞書データベースから認識対象語彙辞書を逐次的に更新し、前記更新した認識対象語彙辞書を用いて、前記入力音声を認識することを特徴とする音声認識方法。
【請求項２】
利用者によって設定される設定情報は、利用者によって設定されたナビゲーションの目的地をもとに、現在地と目的地までの経路情報、または利用者によって設定された認識対象となる語彙のカテゴリ情報の少なくとも一方であることを特徴とする請求項１記載の音声認識方法。
【請求項３】
利用者の移動情報は、利用者の位置情報、移動速度、移動方向の少なくとも一つを利用する請求項１又は２記載の音声認識方法。
【請求項４】
認識対象語彙を逐次更新するタイミングは、前回に認識対象語彙辞書の更新を行ってから予め定めた時間が経過した場合、予定経路から逸脱した場合、平均移動速度が変化した場合、設定情報が変化した場合の少なくとも一つである請求項３に記載の音声認識方法。
【請求項５】
利用者の移動情報は、衛星測位システム（Ｇｌｏｂａｌ  Ｐｏｓｉｔｉｏｎｉｎｇ  Ｓｙｓｔｅｍ：ＧＰＳ）から得られる情報である請求項３又は４記載の音声認識方法。
【請求項６】
入力された音声に対して、音響モデルと認識対象語彙辞書をもとに音声認識を行う装置であって、利用者の移動情報又は利用者による設定情報を得る情報取得手段と、前記情報取得手段から得られた利用者の移動情報又は利用者による設定情報を用いて認識対象語彙辞書を逐次的に更新する辞書更新手段と、前記更新した認識対象語彙辞書を用いて、前記入力音声を認識する認識手段とを含む音声認識装置。
【請求項７】
音声認識対象語彙辞書データベースに登録されている複数の語彙は、その特徴を表すカテゴリ名やその位置情報と共に格納されていることを特徴とする請求項６記載の音声認識装置。
【請求項８】
情報取得手段の利用者によって設定される設定情報は、利用者によって設定されたナビゲーションの目的地をもとに、現在地と目的地までの経路情報、または利用者によって設定されたカテゴリ情報の少なくとも一方である請求項６又は７記載の音声認識装置。
【請求項９】
利用者の移動情報は、利用者の位置情報、移動速度、移動方向の少なくとも一つを利用する請求項６ないし８のいずれか記載の音声認識装置。
【請求項１０】
認識対象語彙辞書の更新は、利用者の設定情報が変更した場合、予定経路から逸脱した場合、平均移動速度が変化した場合、前回に前記認識対象語彙辞書の更新を行ってから予め定めた時間が経過した場合の少なくとも一つである請求項６ないし９のいずれか記載の音声認識装置。
【請求項１１】
情報取得手段は、衛星測位システム（Ｇｌｏｂａｌ  Ｐｏｓｉｔｉｏｎｉｎｇ  Ｓｙｓｔｅｍ：ＧＰＳ）から得られる情報から利用者の移動情報を抽出する請求項６ないし１０のいずれか記載の音声認識装置。
【請求項１２】
請求項６ないし１１のいずれか記載の音声認識装置を用いたナビゲーション装置。
【請求項１３】
認識対象語彙辞書は、移動速度が遅い場合には、利用者の現在位置近辺の認識対象となる語彙、移動速度が速い場合には、移動方向及び目的地近辺の認識対象となる語彙、又は、利用者による設定情報が存在する場合には、前記設定情報、各語彙のカテゴリ情報及び利用する時間に応じて認識対象となる語彙のうち少なくとも１つの語彙を利用して構成される辞書である請求項１２記載のナビゲーション装置。
【請求項１４】
利用者による設定情報は、音声認識により取得する請求項１２又は１３記載のナビゲーション装置。
【請求項１５】
音声認識の対象範囲を表示する機能を備えた表示部を更に含む請求項１３又は１４記載のナビゲーション装置。
【請求項１６】
利用者の移動情報又は利用者による設定情報に応じて、予め登録された音声認識対象語彙辞書データベースから音声認識の対象になる語彙情報をもつ認識対象語彙辞書を逐次的に更新し、前記更新した認識対象語彙辞書を用いて、入力された音声に対して、音響モデルと前記認識対象語彙辞書とをもとに音声認識を行う音声認識方法を含むコンピュータに実行させるためのプログラム。
【手続補正２】
【補正対象書類名】明細書
【補正対象項目名】００１３
【補正方法】変更
【補正の内容】
【００１３】
【発明の実施の形態】
本発明の請求項１に記載の発明は、入力された音声に対して、音響モデルと認識対象語彙辞書をもとに音声認識を行う方法であって、利用者の移動情報又は利用者による設定情報に応じて、音声認識対象語彙辞書を逐次更新し、前記更新した認識対象語彙辞書を用いて、音声認識を行う方法あり、状況に応じて認識対象語彙辞書を用いて音声認識をおこなうことで、認識率の向上を実現する作用を有する。


【手続補正３】
【補正対象書類名】明細書
【補正対象項目名】００１４
【補正方法】変更
【補正の内容】
【００１４】
本発明の請求項２に記載の発明は、利用者によって設定される設定情報は、利用者によって設定されたナビゲーションの目的地をもとに、現在地と目的地までの経路情報、または利用者によって設定された認識対象となる語彙のカテゴリ情報の少なくとも一方であることを特徴とする請求項１記載の音声認識方法としたものであり、音声認識対象語彙辞書の更新において利用者が今後発生する語彙の選択情報としての作用を有する。
【手続補正４】
【補正対象書類名】明細書
【補正対象項目名】００１５
【補正方法】変更
【補正の内容】
【００１５】
本発明の請求項３に記載の発明は、利用者の移動情報は、利用者の位置情報、移動速度、移動方向の少なくとも一つを利用する請求項１又は２記載の音声認識方法であり、認識対象語彙辞書の更新において利用者の移動状態に応じて認識対象語彙辞書を構築できるという作用を有する。


【手続補正５】
【補正対象書類名】明細書
【補正対象項目名】００１６
【補正方法】変更
【補正の内容】
【００１６】
本発明の請求項４に記載の発明は、認識対象語彙を逐次更新するタイミングは、前回に認識対象語彙辞書の更新を行ってから予め定めた時間が経過した場合、予定経路から逸脱した場合、平均移動速度が変化した場合、設定情報が変化した場合の少なくとも一つである請求項３に記載の音声認識方法としたものであり、音声認識用辞書の更新タイミングを指定するという作用を有する。
【手続補正６】
【補正対象書類名】明細書
【補正対象項目名】００１７
【補正方法】変更
【補正の内容】
【００１７】
本発明の請求項５に記載の発明は、利用者の移動情報は、衛星測位システム（Ｇｌｏｂａｌ  Ｐｏｓｉｔｉｏｎｉｎｇ  Ｓｙｓｔｅｍ：ＧＰＳ）から得られる情報である請求項３又は４記載の音声認識方法としたものであり、利用者の状況を反映して音声認識対象語彙辞書の更新情報として利用できるという作用を有する。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
本発明の請求項６に記載の発明は、入力された音声に対して、音響モデルと認識対象語彙辞書をもとに音声認識を行う装置であって、利用者の移動情報又は利用者による設定情報に応じて、逐次音声認識用認識対象語彙辞書を更新して、前記更新した認識対象語彙辞書を用いて、入力音声を認識することとしたものであり、効率良く動的に認識対象語彙辞書を更新して音声認識をおこなうことで認識率の向上という作用を有する。


【手続補正９】
【補正対象書類名】明細書
【補正対象項目名】００２０
【補正方法】変更
【補正の内容】
【００２０】
本発明の請求項７に記載の発明は、音声認識辞書データベースから利用者による設定情報や移動状態に応じて認識対象語彙を選択する際に、カテゴリ情報は位置情報といった手がかりを与え、効率の良い認識対象語彙の更新を実現するという作用を有する。


【手続補正１０】
【補正対象書類名】明細書
【補正対象項目名】００２１
【補正方法】変更
【補正の内容】
【００２１】
本発明の請求項８に記載の発明は、利用者によって設定される設定情報が、利用者によって設定されたナビゲーションの目的地をもとに、現在地と目的地までの経路情報、または利用者によって設定されたカテゴリ情報の少なくとも一方であるとしたものであり、音声認識対象語彙辞書の更新において利用者が今後発生する語彙の選択情報としての作用を有する。
【手続補正１１】
【補正対象書類名】明細書
【補正対象項目名】００２２
【補正方法】変更
【補正の内容】
【００２２】
本発明の請求項９に記載の発明は、利用者の移動情報は、利用者の位置情報、移動速度、移動方向の少なくとも一つを利用するとしたものであり、認識対象語彙辞書の更新において利用者の移動状態を把握できるという作用を有する。


【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
本発明の請求項１０に記載の発明は、認識対象語彙辞書の更新は、利用者の設定情報が変更した場合、予定経路から逸脱した場合、平均移動速度が変化した場合、前回に前記認識対象語彙辞書の更新を行ってから予め定めた時間が経過した場合の少なくとも一つである請求項６ないし９のいずれか記載の音声認識装置としたものであり、音声認識用辞書の更新のタイミングを指定するという作用を有する。
本発明の請求項１１に記載の発明は、情報取得手段は、衛星測位システム（Ｇｌｏｂａｌ  Ｐｏｓｉｔｉｏｎｉｎｇ  Ｓｙｓｔｅｍ：ＧＰＳ）から得られる情報から利用者の移動情報を抽出する請求項６ないし１０のいずれか記載の音声認識装置としたものでであり、利用者の状況を反映して音声認識対象語彙辞書の更新情報として利用できるという作用を有する。


【手続補正１４】
【補正対象書類名】明細書
【補正対象項目名】００２５
【補正方法】変更
【補正の内容】
【００２５】
本発明の請求項１２に記載の発明は、請求項６ないし１１のいずれか記載の音声認識装置を利用したナビゲーション装置であり、機器の複雑な機能を覚えることなく、音声で利用できるという使いやすさの機能を要し、さらに認識対象語彙辞書の更新において利用者のおかれる状況にそくした認識対象語彙辞書を構築するため、音声認識の誤りを軽減できるという作用を有する。


【手続補正１５】
【補正対象書類名】明細書
【補正対象項目名】００２６
【補正方法】変更
【補正の内容】
【００２６】
本発明の請求項１３に記載の発明は、請求項１２記載のナビゲーション装置による音声認識に利用する認識辞書の選択方法であり、利用者の移動速度、あるいは利用者の位置、利用者による設定情報、時刻、さらには各語彙がもつカテゴリ情報の少なくとも一つの方法を利用して重点的に認識対象語彙辞書を更新することで、効率良く認識対象辞書を利用することができるという作用を有する。


【手続補正１６】
【補正対象書類名】明細書
【補正対象項目名】００２７
【補正方法】変更
【補正の内容】
【００２７】
本発明の請求項１４に記載の発明は、利用者による設定情報の設定に、音声認識による方法を利用できることを特徴としたものであり、利用者が機器の複雑な動作を覚えることなくナビゲーション装置を利用できるという作用を有する。


【手続補正１７】
【補正対象書類名】明細書
【補正対象項目名】００２８
【補正方法】変更
【補正の内容】
【００２８】
本発明の請求項１５に記載の発明は、認識対象となる語彙の選択範囲を表示部に表示するナビゲーション装置であり、システムの状態を視覚的に利用者に提供するという作用を有する。
本発明の請求項１６に記載の発明は、利用者の移動情報又は利用者による設定情報に応じて、予め登録された音声認識対象語彙辞書データベースから音声認識の対象になる語彙情報をもつ認識対象語彙辞書を逐次的に更新し、前記更新した認識対象語彙辞書を用いて、入力された音声に対して、音響モデルと前記認識対象語彙辞書とをもとに音声認識を行う音声認識方法を含むコンピュータに実行させるためのプログラムとしたものであり、利用者の移動情報又は利用者による設定情報に応じて、逐次音声認識用認識対象語彙辞書を更新して、前記更新した認識対象語彙辞書を用いて、入力音声を認識することとしたものであり、効率良く動的に認識対象語彙辞書を更新して音声認識をおこなうことで認識率の向上という作用を有する。